(57)【要約】 【課題】ＬＥＤ点灯の立ち上り時間を遅らせることにより、点灯動作が自然で刺激的でなく、違和感を与えないようにしたＬＥＤ式信号灯器を提供する。【解決手段】商用電源Ｐを整流して信号用の灯光を発するＬＥＤ１２（発光ダイオード）に電力を供給するようにしたＬＥＤ式信号灯器１０であって、商用電源Ｐを整流する全波整流部３０と、定電流部４０とを備え、定電流部４０は、全波整流部３０の出力を受け、定電圧素子による基準電圧を出力半導体に印加することにより、ＬＥＤ１２へ電力を供給するものであり、定電流部４０の基準電圧の立ち上がりを遅らせてＬＥＤ１２の発光の応答性を遅くする遅延素子Ｃを設けた。【選択図】図１
2005285530.tif 000002
【特許請求の範囲】
【請求項１】
商用電源を整流して信号用の灯光を発するＬＥＤ（発光ダイオード）に電力を供給するようにしたＬＥＤ式信号灯器であって、
商用電源を整流する全波整流部と、定電流部とを備え、
前記定電流部は、前記全波整流部の出力を受け、定電圧素子による基準電圧を出力半導体に印加することにより、前記ＬＥＤへ電力を供給するものであり、
前記定電流部に基準電圧の立ち上がりを遅らせてＬＥＤの発光の応答性を遅くする遅延素子を設けたことを特徴とするＬＥＤ式信号灯器。
【請求項２】
商用電源を整流して信号用の灯光を発するＬＥＤ（発光ダイオード）に電力を供給するようにしたＬＥＤ式信号灯器であって、
商用電源を整流する全波整流部と、定電流部とを備え、
前記定電流部は、前記全波整流部の出力を受け、定電圧素子であるツェナーダイオードによる基準電圧を出力半導体である出力トランジスタのベースに印加することにより、前記ＬＥＤへ電力を供給するものであり、
前記定電流部に基準電圧の立ち上がりを遅らせてＬＥＤの発光の応答性を遅くする遅延素子としてコンデンサを前記ツェナーダイオードに並列に接続したことを特徴とするＬＥＤ式信号灯器。
【発明の詳細な説明】
【技術分野】
【０００１】
本発明は、商用電源を整流して信号用の灯光を発するＬＥＤ（発光ダイオード）に電力を供給するようにしたＬＥＤ式信号灯器に関する。
【背景技術】
【０００２】
従来の技術としては、例えば特許文献１に示すようなものがある。  
すなわち、特許文献１の特開２００１−１４３８７９号公報には、商用電源を整流してから、安定化電源回路で安定化し、安定化した電圧をＬＥＤに供給するもので、サーミスタにより外温に応じてＬＥＤに適した電圧を供給する技術が開示されている。
【０００３】
【特許文献１】特開２００１−１４３８７９号公報
【発明の開示】
【発明が解決しようとする課題】
【０００４】
しかしながらこのような従来の技術では、電球と比較しＬＥＤに供給される点灯・消灯の電力が極めて応答性よく切り替わるので、切り替わりがはっきりしすぎて刺激的で違和感を与えるおそれがあるという問題点があった。
【０００５】
本発明は、このような従来の技術が有する問題点に着目してなされたもので、ＬＥＤに供給される点灯・消灯の電力の切替を時間を遅れさせることにより、点灯・消灯が自然で刺激的でなく、違和感を与えないようにしたＬＥＤ式信号灯器を提供することを目的としている。
【課題を解決するための手段】
【０００６】
かかる目的を達成するための本発明の要旨とするところは、次の各項の発明に存する。
［１］  商用電源（Ｐ）を整流して信号用の灯光を発するＬＥＤ（１２）（発光ダイオード）に電力を供給するようにしたＬＥＤ式信号灯器（１０）であって、
商用電源（Ｐ）を整流する全波整流部（３０）と、定電流部（４０）とを備え、
前記定電流部（４０）は、前記全波整流部（３０）の出力を受け、定電圧素子による基準電圧を出力半導体に印加することにより、前記ＬＥＤ（１２）へ電力を供給するものであり、
前記定電流部（４０）に基準電圧の立ち上がりを遅らせてＬＥＤ（１２）の発光の応答性を遅くする遅延素子（Ｃ）を設けたことを特徴とするＬＥＤ式信号灯器（１０）。
【０００７】
［２］  商用電源（Ｐ）を整流して信号用の灯光を発するＬＥＤ（１２）(発光ダイオード)に電力を供給するようにしたＬＥＤ式信号灯器（１０）であって、
商用電源（Ｐ）を整流する全波整流部（３０）と、定電流部（４０）とを備え、
前記定電流部（４０）は、前記全波整流部（３０）の出力を受け、定電圧素子であるツェナーダイオード（４１）による基準電圧を出力半導体である出力トランジスタ（ＴＲ１）のベースに印加することにより、前記ＬＥＤ（１２）へ電力を供給するものであり、
前記定電流部（４０）に基準電圧の立ち上がりを遅らせてＬＥＤ（１２）の発光の応答性を遅くする遅延素子としてコンデンサ（Ｃ）を前記ツェナーダイオード（４１）に並列に接続したことを特徴とするＬＥＤ式信号灯器（１０）。
【０００８】
前記本発明は次のように作用する。  
本発明に係るＬＥＤ式信号灯器（１０）は、商用電源（Ｐ）を整流して信号用の灯光を発するＬＥＤ（１２）に電力を供給する。つまり、定電流部（４０）は、全波整流部（３０）の出力を受け、定電圧素子による基準電圧を出力半導体に印加することにより、ＬＥＤ（１２）へ電力を供給する。
【０００９】
遅延素子（Ｃ）は、定電流部（４０）に基準電圧の立ち上がりを遅らせるので、ＬＥＤ（１２）の発光の応答性が遅くなり、ＬＥＤ式信号灯器（１０）は自然で刺激的でなく、違和感を与えないよう点灯する。
【００１０】
詳しくは、定電流部（４０）は、全波整流部（３０）の出力を受け、定電圧素子であるツェナーダイオード（４１）による基準電圧を出力半導体である出力トランジスタ（ＴＲ１）のベースに印加することにより、ＬＥＤ（１２）へ電力を供給する。
【００１１】
ツェナーダイオード（４１）に並列に接続されたコンデンサ（Ｃ）が遅延素子として動作し、定電流部（４０）のツェナーダイオード（４１）の基準電圧の立ち上がりを遅らせてＬＥＤ（１２）の発光の応答性を遅くする。
【発明の効果】
【００１２】
本発明に係るＬＥＤ式信号灯器によれば、定電流部に基準電圧の立ち上がりを遅らせてＬＥＤの発光の応答性を遅くする遅延素子を設けたので、点灯が自然で刺激的でなく、違和感を与えないようにすることができる。
【発明を実施するための最良の形態】
【００１３】
以下、図面に基づき本発明の好適な一実施の形態を説明する。  
図１〜図４は本発明の一実施の形態を示している。  
ＬＥＤ式信号灯器１０の形態は図３および図４に示すとおりであり、商用電源を整流して信号用の灯光を発するＬＥＤに電力を供給するようにしたものである。ＬＥＤ式信号灯器１０は、通常は青、黄、赤の３組で構成され、それぞれの組は同様の構成をしており、ＬＥＤユニット１１が前面扉１５と筐体１７との間に収納されて成る。
【００１４】
ＬＥＤユニット１１は、ＬＥＤ１２と前面レンズ１４とを備えて成る。前面扉１５は、ＬＥＤユニット１１の前面レンズ１４を前方に開放する開口部１６を有し、フード１５ａが装着されており、ＬＥＤユニット１１の前面レンズ１４をこの開口部１６に通して、前面扉１５と筐体１７とがねじ止めされている。
【００１５】
ＬＥＤユニット１１には、駆動回路２０の基板２１が装着されており、駆動回路２０は、商用電源Ｐを整流して信号用の灯光を発するＬＥＤに電力を供給するものである。
図１でわかるように、駆動回路２０は、商用電源Ｐを整流する全波整流部３０と、定電流部４０とを備えている。
【００１６】
全波整流部３０は、商用電源ＰにＬＥＤ式信号灯器１０を駆動する半導体リレー（ＳＳＲ）を介して接続される。全波整流素子３５の＋出力は負荷であるＬＥＤ１２の＋側に接続している。なお、図１では、ＬＥＤ１２を簡略化して１個であるように表示されているが、実際は多数のＬＥＤ１２が接続されており、ＬＥＤ１２は、複数を直列にした複数のユニットが並列に接続されている。
【００１７】
定電流部４０は、ツェナーダイオード４１と保護抵抗Ｒ１とが全波整流部３０の出力に接続され、全波整流部３０の出力を受け、定電圧素子であるツェナーダイオード４１による基準電圧を出力半導体である出力トランジスタＴＲ１のベースに印加することにより、ＬＥＤ１２へ電力を供給するものである。出力トランジスタＴＲ１は、抵抗Ｒ２を介してＬＥＤ１２と全波整流部３０との間に接続されている。
定電流部４０では、基準電圧の立ち上がりを遅らせてＬＥＤ１２の発光の応答性を遅くする遅延素子としてコンデンサＣを前記ツェナーダイオード４１に並列に接続してある。
【００１８】
次に作用を説明する。  
ＬＥＤ式信号灯器１０は、商用電源Ｐを整流して、信号用の灯光を発するＬＥＤ１２に電力を供給するものである。  
つまり、定電流部４０は、全波整流部３０の出力を受け、定電圧素子による基準電圧を出力半導体に印加することにより、ＬＥＤ１２へ電力を供給する。
【００１９】
遅延素子であるコンデンサＣは、定電流部４０に基準電圧の立ち上がりを遅らせるので、ＬＥＤ１２の発光の応答性が遅くなり、ＬＥＤ式信号灯器１０は自然で刺激的でなく、違和感を与えないよう点灯・消灯する。
【００２０】
詳しくは、定電流部４０では、全波整流部３０の出力を受け、定電圧素子であるツェナーダイオード４１による基準電圧を出力半導体である出力トランジスタＴＲ１のベースに印加することにより、ＬＥＤ１２へ電力を供給する。
【００２１】
ツェナーダイオード４１に並列に接続されたコンデンサＣが遅延素子として動作し、定電流部４０のツェナーダイオード４１の基準電圧の立ち上がりを遅らせてＬＥＤ１２の発光の応答性を遅くする。
【００２２】
図２に示すように、図２（ａ）の半導体リレーＳＳＲのオンからオフへの動作により、コンデンサＣがなければ、図２（ｂ）のようにＬＥＤへ供給する電流Ｉｆが急激に立ち上がるところ、コンデンサＣがあるので、図２（ｃ）のように、なだらかに立ち上がっている。
【図面の簡単な説明】
【００２３】
【図１】本発明の一実施の形態に係るＬＥＤ式信号灯器の駆動回路の概念回路図である。
【図２】本発明の一実施の形態に係るＬＥＤ式信号灯器の駆動回路の動作を示す信号チャート図である。
【図３】本発明の一実施の形態に係るＬＥＤ式信号灯器を示す正面図である。
【図４】本発明の一実施の形態に係るＬＥＤ式信号灯器を示す分解側面図である。
【符号の説明】
【００２４】
Ｃ…コンデンサ（遅延素子）
ＳＳＲ…半導体リレー
Ｐ…商用電源
１０…ＬＥＤ式信号灯器
１１…ＬＥＤユニット
１２…ＬＥＤ
１４…前面レンズ
１５…前面扉
２０…駆動回路
３０…全波整流部
４０…定電流部
【図１】
2005285530.tif 000003
【図２】
2005285530.tif 000004
【図３】
2005285530.tif 000005
【図４】
2005285530.tif 000006